(57)【特許請求の範囲】
【請求項１】
固定側ケースと、前記固定側ケースにヒンジを介して開閉自在に設けられた可動側ケースと、所定の状態であることを発光によって表示する発光手段とを備えた端末装置において、
前記ヒンジが前記固定側ケース又は前記可動側ケースのいずれか一方に設けられ、
前記発光手段は、前記ヒンジが設けられた前記固定側ケースあるいは前記可動側ケースの他方のケースにおける前記ヒンジ側の端部に設けられ、
前記発光手段が設けられている方の前記固定側ケース又は前記可動側ケースに、前記発光手段からの発光を反射する光反射板を有する光反射手段が設けられ、
前記光反射手段は、前記可動側ケースの開き状態時と閉じ状態時とで互いに異なる面に設けられた光沢塗装部を更に有することを特徴とする端末装置。
【請求項２】
前記発光手段は、
前記固定側ケース内又は前記可動側ケース内に配置された発光素子と、
前記発光素子が設けられた前記固定側ケース又は前記可動側ケースの内側面におけるヒンジ側の端部に配置され、前記発光素子が発光した光を拡散する光拡散用部材とを有することを特徴とする請求項１に記載の端末装置。
【発明の詳細な説明】
【技術分野】
【０００１】
本発明は、端末装置に係り、更に詳細には、着信状態などの所定の状態であることを光によって表示する端末装置に関する。なお、端末装置とは、携帯電話機等の携帯端末装置を含む。
【背景技術】
【０００２】
例えば、デジタルカメラ付き携帯電話機では、着信時やデジタルカメラの起動時などに、その状態であることがＬＥＤ(Light Emitting Diode、発光ダイオード)などの発光によって表示されるものがある。
【０００３】
図９は、従来の携帯電話機５０を示す。この携帯電話機５０は、押しボタン５１などが設けられた固定側ケース５２と、ディスプレイ５３などが設けられた可動側ケース５４とを備えている。固定側ケース５２と可動側ケース５４は、ヒンジ５５を介して開閉自在に連結されている。
【０００４】
可動側ケース５４の外側の表面（化粧面）５４ａには、図１０に示すように、着信時やデジタルカメラ起動時などに、その状態にあることを発光によって表示する発光部５６が設けられている。この発光部５６は、図１１に示すように、回路基盤５７に設けられたＬＥＤ５８と、このＬＥＤ５８の直上に配置されたパネル５９とを有している。
【０００５】
パネル５９は、可動側ケース５４の化粧面５４ａにおける開口５４ｂ内に設けられている。なお、発光部が、固定側ケースに設けられている携帯電話機もある。
【特許文献１】特開２００１−２９２２０６号公報
【特許文献２】特開平１１−３５５４０３号公報
【発明の開示】
【発明が解決しようとする課題】
【０００６】
しかしながら、従来の携帯電話機５０は、パネル５９が可動側ケース５４の化粧面５４ａに設けられていたので、ケースデザイン性の自由度を損なってしまうという問題があった。
【０００７】
また、この携帯電話機５０を胸ポケットに入れた場合、発光部５６を上方から視認できなくなるため、着信状態などの所定の状態にあることを認識できないという問題があった。
【０００８】
このような問題は、携帯電話機に限らず、所定の状態であることを発光によって表示する携帯用の端末装置には同様に発生する問題である。
【０００９】
本発明は、このような問題に鑑みなされたもので、ケースデザイン性の自由度を損なわず、且つ胸ポケットに入れた場合でも所定の状態を表示するための発光を容易に視認できる端末装置の提供を課題とする。
【課題を解決するための手段】
【００１０】
本発明は、前記課題を解決するため、以下の手段を採用した。
（１）本発明は、
固定側ケースと、前記固定側ケースにヒンジを介して開閉自在に設けられた可動側ケースと、所定の状態であることを発光によって表示する発光手段とを備えた端末装置におい
て、
前記発光手段が、前記固定側ケース又は前記可動側ケースにおける前記ヒンジ側の端部に設けられていることを特徴とする。
【００１１】
本発明では、発光手段が固定側ケース又は可動側ケースにおけるヒンジ側の端部に設けられているので、発光部をケースの化粧面に設ける必要がない。このため、ケースデザイン性の自由度を損なうのを抑制できる。また、端末装置を胸ポケットに入れた場合でも、発光手段を上側にすることにより発光手段を上方から容易に視認できるので、所定の状態であることを確実に認識できる。
【００１２】
（２）前記発光手段が前記固定側ケース又は前記可動側ケースにおける前記ヒンジ側の端面に設けられていることが好ましい。この場合は、端末装置を胸ポケットに入れた場合に、発光手段の発光を更に確実に視認できる。
【００１３】
（３）前記発光手段が設けられていない方の前記固定側ケース又は前記可動側ケースに、前記発光手段からの発光を反射する光反射手段が設けられていることが好ましい。
【００１４】
この場合は、端末装置の向きにより発光手段を直接視認できない場合でも、光反射手段からの反射光によって、発光していることを認識できる。
【００１５】
（４）前記光反射手段は、前記可動側ケースの開き状態時と閉じ状態時とで互いに異なる面に設けられていることが好ましい。この場合は、可動側ケースの開閉にかかわらず、発光手段の発光を認識できる。
【００１６】
（５）前記発光手段は、前記固定側ケース内又は前記可動側ケース内に配置されたＬＥＤと、前記ＬＥＤの光を拡散するべく前記固定側ケース又は前記可動側ケースにおける前記ヒンジ側の端部に設けられた光拡散用部材とで構成できる。
【００１７】
光拡散用部材としては、透明、乳白色又は有色で半透明のアクリル、ＰＣ（ポリカーボネート）樹脂などを例示できる。この場合は、ＬＥＤをヒンジから離れた位置に配置し、ヒンジの近傍には光拡散用部材のみ配置できる。これにより、ヒンジ部の近傍の構成が複雑になり大型になるのを抑制できる。
【発明の効果】
【００１８】
以上説明したように、本発明によれば、端末装置が所定の状態であることを発光によって表示する発光手段が、固定側ケース又は可動側ケースのヒンジ側の端部に設けられているので、上固定側ケースの化粧面に発光手段を設ける必要がない。従って、上固定側ケースのケースデザイン性の自由度を損なうのを抑制できる。
【００１９】
また、端末装置を胸ポケットに入れた場合でも、発光手段を上側にすることにより、発光手段の発光を上方から容易に視認できるので、所定の状態であることを確実に認識できる。
【発明を実施するための最良の形態】
【００２０】
図１は、本発明に係る実施形態の端末装置を適用した携帯電話機１の側面図を示す。この携帯電話機１は、固定側ケース１１と、この固定側ケース１１にヒンジ１２を介して開閉自在に連結された可動側ケース１３と、携帯電話機１が所定の状態であることを発光によって表示する発光手段１４とを備えている。なお、図１は上固定側ケース１１，１３を閉じた状態を示す。
【００２１】
上記発光手段１４は、固定側ケース１１又は可動側ケース１３におけるヒンジ１２側の端部に設けられている。本実施形態では、発光手段１４がヒンジ１２のない方の可動側ケース１３におけるヒンジ１２側の端部に設けられている。
【００２２】
このように、発光手段１４は、ヒンジ１２のない方のケースに設けるのが好ましい。これは、ヒンジ１２のある方のケースに発光手段１４を設けると、ヒンジ１２近傍の構成が複雑で大型になるからである。
【００２３】
図２は、携帯電話機１の可動側ケース１３を開いた状態を示す。上固定側ケース１１，１３は、扁平で略長方形状に形成されている。固定側ケース１１の内側面１１ａには、複数の押しボタン１５，１６，１７などが設けられている。また、可動側ケース１３の内側面１３ａには、ディスプレイ１８などが設けられている。
【００２４】
この携帯電話機１には、通話手段（図示せず）など一般的な携帯電話機と同様な機能が備えられている。更に、固定側ケース１１の外側表面（化粧面）１１ｂには、図３に示すように、撮像手段としてのデジタルカメラ１９が備えられている。なお、通話手段及びデジタルカメラ１９については、一般的なものを使用できるので、ここではその詳細な説明を省略する。
【００２５】
可動側ケース１３の外側表面（化粧面）１３ｂは、図４に示すように、押しボタンなどが一切なく、単純化されている。
【００２６】
本実施形態では、通話手段が着信状態であること、及びデジタルカメラ１９が起動状態であることを示すために発光手段１４が発光する。
【００２７】
次に、上記発光手段１４について説明する。この発光手段１４は、図５に示すように、発光素子であるＬＥＤ(Light Emitting Diode、発光ダイオード)２０と、このＬＥＤ２０から照射された光を拡散する光拡散用パネル（光拡散用部材）２１とを有している。
【００２８】
上記光拡散用パネル２１としては、透明、乳白色、その他各種の色を有する半透明のアクリル、ＰＣ（ポリカーボネート）樹脂などを例示できる。
【００２９】
図６は、可動側ケース１３の分解斜視図である。なお、図６は、上記ＬＥＤ２０及び上記光拡散用パネル２１の配置を分かりやすく示すため、可動側ケース１３の内側面１３ｂを下側にして、ディスプレイ１８側から見た状態を示す。
【００３０】
図６から分かるように、ＬＥＤ２０及び光拡散用パネル２１は、可動側ケース１３の内側面１３ｂ側におけるヒンジ１２側の端部の両側にそれぞれ一対ずつ設けられている。ＬＥＤ２０は、回路基板２５の両側に突出した突出部分２５ａ，２５ａに設けられている。
【００３１】
光拡散用パネル２１は、断面が変形五角形（図６参照）で比較的長尺に形成されている。この光拡散用パネル２１は、可動側ケース１３の内側面１３ｂ側におけるヒンジ１２側の先端に配置されている。
【００３２】
図７は、可動側ケース１３を閉じた状態を示す断面図である。上記光拡散用パネル２１は、その露出面２１ａが可動側ケース１３におけるヒンジ１２側の先端に露出されて配置されている。
【００３３】
これにより、光拡散用パネル２１の露出面２１ａが、可動側ケース１３の内側面１３ｂ側におけるヒンジ１２側の端面を形成している。ＬＥＤ２０は、可動側ケース１３の光拡
散用パネル２１より少し内側に配置されている。
【００３４】
また、可動側ケース１３の内側面１３ｂ側における内壁面１３ｃには、ＬＥＤ２０及び光拡散用パネル２１の上側に位置する光反射板２６が設けられている。
【００３５】
更に、固定側ケース１１におけるヒンジ１２側の端部には、可動側ケース１３が閉じられた状態で、光拡散用パネル２１の露出面２１ａと対向する所定の範囲Ｘ面が、光反射手段として光反射率の高い例えば光沢塗装部２７が設けられている。
【００３６】
図８は、可動側ケース１３を開いた状態を示す。この状態で、固定側ケース１１の外側表面１１ｂ側には、光拡散用パネル２１の露出面２１ａと対向する所定の範囲Ｙ面が、上記と同様に光反射率の高い例えば光沢塗装部２８が設けられている。
【００３７】
次に、この携帯電話機１の作用について説明する。この携帯電話機１は、通話手段が着信状態であるとき、及びデジタルカメラ１９が起動状態であるときなどに、発光手段１４のＬＥＤ２０が発光する。
【００３８】
そして、可動側ケース１３が閉じられた状態のときは、図７に示すように、ＬＥＤ２０が発光し、その光が光拡散用パネル２１で拡散されて固定側ケース１１の外側表面１１ｂ側におけるヒンジ１２側の端部に設けられた光沢塗装部２７に照射される。光沢塗装部２７に照射された光は、図７中に矢印で示すように、光沢塗装部２７で反射されて携帯電話機１の外側、特に、上固定側ケース１１，１３の長手方向Ｚ１に照射される。
【００３９】
また、ＬＥＤ２０の発光は、可動側ケース１３の内側面１３ｂ側における内壁面１３ｃに設けられた光反射板２６によって反射され、光拡散用パネル２１及び光沢塗装部２７を介して、上固定側ケース１１，１３の長手方向Ｚ１に照射される。
【００４０】
可動側ケース１３が開かれた状態では、図８に示すように、ＬＥＤ２０から照射された光が、光拡散用パネル２１、光反射板２６及び固定側ケース１１の外側表面１１ｂ側における光沢塗装部２８を介して、携帯電話機１の外側、特に、可動側ケース１３の長手方向Ｚ２に照射される。
【００４１】
このように、本発明に係る携帯電話機１は、着信状態であること、及びデジタルカメラ１９の起動状態であることを光で表示する発光手段１４が、可動側ケース１３におけるヒンジ１２側の端部に設けられているので、上固定側ケース１１，１３の外側表面（化粧面）１１ｂ，１３ｂに発光手段１４を設ける必要がない。従って、ケースデザイン性の自由度を損なうことを抑制できる。
【００４２】
また、携帯電話機１を胸ポケットに入れる際に、ヒンジ１２を上側にして入れることにより、発光手段１４が上側になるので、発光手段１４の発光を上方から容易に視認できる。従って、着信状態であること、又はデジタルカメラ１９の起動状態であることを確実に認識できる。
【００４３】
本実施形態では、発光手段１４の露出面２１ａが、可動側ケース１３におけるヒンジ１２側の端面を形成している。このため、携帯電話機１を胸ポケットに入れた場合に、発光手段１４の発光を上方から視認するのが更に容易になる。
【００４４】
また、発光手段１４のＬＥＤ２０及び光拡散用パネル２１は、ヒンジ１２が設けられていない方のケース、本実施形態では可動側ケース１３に設けられているので、ヒンジ１２及びその近傍の構成を簡略化でき、大型化するのを防止できる。
【００４５】
また、ＬＥＤ２０の発光を光拡散用パネル２１を通して直接視認するだけでなく、固定側ケース１１からの反射光を視認できるので、上固定側ケース１１，１３の開閉状態に関係なく発光の視認が可能になる。
【００４６】
なお、上記実施形態では、本発明を携帯電話機１に適用した場合について説明したが、本発明は携帯電話機に限らず、各種の状態を発光によって表示する機能を有する各種の端末装置に適用できる。
【図面の簡単な説明】
【００４７】
【図１】本発明に係る携帯電話機の可動側ケースを閉じた状態を示す側面図である。
【図２】本発明に係る携帯電話機の可動側ケースを開いた状態を示す正面図である。
【図３】本発明に係る携帯電話機の固定側ケースを示す図であり、図１のＡ矢視図である。
【図４】本発明に係る携帯電話機の可動側ケースを示す図であり、図１のＢ矢視図である。
【図５】本発明に係る携帯電話機の発光手段を示す図であり、図１のＣ−Ｃ断面図である。
【図６】本発明に係る携帯電話機の上固定側ケースを分解した状態を示す斜視図である。
【図７】本発明に係る携帯電話機の可動側ケースを閉じた場合の発光状態を示す断面図である。
【図８】本発明に係る携帯電話機の可動側ケースを開いた場合の発光状態を示す断面図である。
【図９】従来例に係る携帯電話機の可動側ケースを開いた状態を示す斜視図である。
【図１０】従来例に係る携帯電話機の可動側ケースを閉じた状態を示す斜視図である。
【図１１】従来例に係る携帯電話機の発光部を示す図であり、図１０のＤ−Ｄ断面図である。
【符号の説明】
【００４８】
１  携帯電話機
１１  固定側ケース
１１ａ  固定側ケースの内側面
１１ｂ  固定側ケースの外側表面（化粧面）
１２  ヒンジ
１３  可動側ケース
１３ａ  可動側ケースの内側面
１３ｂ  可動側ケースの外側表面（化粧面）
１３ｃ  可動側ケースの内壁面
１４  発光手段
１５，１６，１７  押しボタン
１８  ディスプレイ
１９  デジタルカメラ（撮像手段）
２１  光拡散用パネル（光拡散用部材）
２１ａ  露出面
２５  回路基板
２５ａ  突出部分
２６  光反射板
２７  光沢塗装部
２８  光沢塗装部
５０  携帯電話機
５１  ボタン
５２  固定側ケース
５３  ディスプレイ
５４  可動側ケース
５４ａ  化粧面
５４ｂ  開口
５５  ヒンジ
５６  発光部
５８  パネル
【図１】
0004676322.tif 000002
【図２】
0004676322.tif 000003
【図３】
0004676322.tif 000004
【図４】
0004676322.tif 000005
【図５】
0004676322.tif 000006
【図６】
0004676322.tif 000007
【図７】
0004676322.tif 000008
【図８】
0004676322.tif 000009
【図９】
0004676322.tif 000010
【図１０】
0004676322.tif 000011
【図１１】
0004676322.tif 000012